(57)【特許請求の範囲】
【請求項１】
電源スイッチを介して電源と接続される加熱部と、前記電源スイッチを介さずに前記電源と接続される制御電源部と、前記加熱部の入力電圧を検知する入力電圧検知手段と、前記入力電圧検知手段の出力信号に基づき前記電源スイッチの開閉状態を検知する電源スイッチ状態検知手段と、前記制御電源部から電力供給を受けつつ前記加熱部の出力を制御する制御手段とを備え、前記制御手段は、前記電源スイッチ状態検知手段の出力信号に基づき、前記電源スイッチが開状態であると検知すると前記加熱部の駆動を停止し加熱命令を受け付けないオフモードを設定し、前記電源スイッチが開状態から閉状態になるのを検知すると前記加熱部の駆動を停止して加熱命令を待つ待機モードを設定し、かつ、前記電源スイッチが閉状態のときの前記加熱部の最新の出力等の動作状態を記憶保持し、前記電源スイッチが閉状態から開状態へ変化するのを検知した後、所定時間以内に前記電源スイッチが閉状態へ変化するのを検知すると、記憶していた動作状態に基づき前記加熱部の出力等を制御してなる加熱調理器。
【請求項２】
少なくとも加熱部の加熱状態を表示する表示部を備え、制御手段は、オフモードを設定したときに前記表示部の少なくとも一部を駆動停止してなる請求項１に記載の加熱調理器。
【請求項３】
少なくとも電源スイッチの開閉状態を示す表示部を備えてなる請求項１に記載の加熱調理器。
【発明の詳細な説明】
【０００１】
【発明の属する技術分野】
本発明は、一般家庭において使用される加熱調理器に関するものである。
【０００２】
【従来の技術】
近年、高周波磁界により負荷鍋に渦電流を誘起して加熱する加熱コイルと、ハロゲンやシーズヒータ等の発熱源を同一本体内に収納した複合型の加熱調理器が開発されている。これらには、安全に関する様々な機能が備わっており、例えば、電源スイッチをオフした後も直前の調理にてトッププレートが高温状態である旨の表示を行う機能や、ヒータ加熱を終了後に本体内部の急激な温度上昇を防ぐために所定温度未満になるまで冷却ファンを継続して駆動する機能等がある。
【０００３】
以下に従来構成の加熱調理器について図９を用いて説明する。図９は従来構成の加熱調理器を示す図である。図９において、１は交流電源、２は電源スイッチ、３は誘導加熱部で、整流器３０、加熱コイル３１、スイッチング素子３２、およびインバータ回路３３で構成されており、スイッチング素子３２を開閉させて加熱コイル３１に数十ＫＨｚの高周波電流を印加することにより加熱コイル３１と磁気結合する負荷鍋４を誘導加熱する。なお、誘導加熱部３の入力の一端は電源スイッチ２を介して交流電源１へ接続し、誘導加熱部３の入力の他端は交流電源１の他端に直接接続する構成となっている。５は負荷鍋４を積載するトッププレートで、加熱コイル３１と負荷鍋４の間に位置する。
【０００４】
６は制御電源部で、交流電源１から電源スイッチ２を介して入力し２０Ｖの直流電圧（以下ＶＤ１と称す）を出力する第１の電源回路６１、第一の電源回路６１から入力し５Ｖの直流電圧（以下ＶＤ２と称す）を出力する第２の電源回路６２、交流電源１から直接入力し１２Ｖの直流電圧を（以下ＶＤ３と称す）出力する第３の電源回路６３等で構成されている。
【０００５】
７はロースタ加熱部でヒータ７１と交流電源１を通電制御するリレー７２、リレー７２の接点を開閉駆動するリレー駆動回路７３で構成されており、リレー７２の接点を閉じることでヒータ７１と交流電源１を通電しロースタ庫内を熱して魚焼き等の調理を行う。
【０００６】
８は表示部で発光ダイオード（以下ＬＥＤと称す）等で構成されており、トッププレート５が高温状態であることを表示する高温表示手段８１、電源スイッチ２の開閉状態を表示する電源スイッチ状態表示手段８２、誘導加熱部３の出力状態を表示する誘導加熱部表示手段８３、ロースタ加熱部７の出力状態を表示するロースタ加熱部表示手段８４で構成されている。
【０００７】
９は入力手段で、誘導加熱部３またはロースタ加熱部７の出力等の設定入力を行う。１０は第１の感温素子で、トッププレート５下部に配置され負荷鍋４の温度を間接的に検知し、またトッププレート５の温度を直接検知する。１１は高温表示駆動部で、コンパレータＩＣ１１１、トランジスタＱ１１１およびＱ１１２、抵抗等で構成されており、第１の感温素子１０からの入力に基づきトッププレート５の温度が所定温度（約６５℃）以上のときにトランジスタＱ１１１をオンにし、トランジスタＱ１１２をオンさせて高温表示手段８１の構成要素であるＬＥＤ８１を点灯させる。なお、高温表示駆動部１１は所定周期にて「Ｌ」出力するパルス回路１１１を内蔵することで、トランジスタＱ１１２を所定周期で強制的にオフする構成とし、誘導加熱部３およびロースタ加熱部７のどちらも加熱停止しているときは前記の作用によりＬＥＤ８１を所定周期にて点滅させている。
【０００８】
１２はスイッチング素子３２等を冷却する冷却ファンの構成要素であるファンモータ、１３はファンモータ１２と交流電源１を通電制御するフォトトライアックＩＣ１３１等で構成されるファンモータ駆動部、１４はロースタ庫内近傍に設けられ前記ロースタ庫内の温度を検知する第２の感温素子、１５はファンモータ駆動検知部で、第２の感温素子１４からの入力に基づきロースタ庫内が所定温度（約９０℃）以上ならばファンモータ１２を駆動するようファンモータ駆動部１３にファンモータオン信号を出力する。また、ファンモータ駆動検知部１５は、タイマー手段１５１を内蔵することで、所定時間（１０分）以上経過すると前記ファンモータオン信号の出力を停止する構成とし、ファンモータ１２の最大駆動時間を前記所定時間としている。なお、タイマー手段１５１はリセット入力を備えており所定の信号を入力すると時間計測をリセットして新たに前記所定時間の計測を行うことが可能である。
【０００９】
１６は、前記の構成手段を統括的に制御する制御手段で、マイクロコンピュータやコンパレータ等で構成されており、入力手段９からの入力信号に基づき誘導加熱部３およびロースタ加熱部７を出力制御し、表示部８を制御して誘導加熱部３およびロースタ加熱部７の出力状態を表示し、ダイオードＤ１３１を介しファンモータ駆動部１３を制御してファンモータ１２を駆動し、タイマー手段１５１へリセット信号を出力し、さらに高温表示駆動部１１内のパルス回路１１１が常時オープン出力になるよう制御して誘導加熱部３またはロースタ加熱部７のどちらかが加熱するときに第１の感温素子１０でトッププレート５の高温を検知するとＬＥＤ８１を点灯表示させている。
【００１０】
また、制御手段１６は、動作中は常時電源スイッチ状態表示手段８２の構成要素であるＬＥＤ８２を点灯させる。すなわち、電源スイッチ２がオンのときは制御電源部６からＶＤ１およびＶＤ２が出力されて制御手段１６が動作しＬＥＤ８２が点灯するが、電源スイッチ２がオフのときは制御電源部６からＶＤ１およびＶＤ２が出力されなくなって制御手段１６が動作停止しＬＥＤ８２が消灯する。この動作により、電源スイッチ状態表示手段８２にて電源スイッチ２のオンオフ状態を表示している。
【００１１】
また、制御手段１６は、誘導加熱部３やロースタ加熱部７の駆動を停止し入力手段９から加熱開始を示す信号が入力されるのを待つ待機モードや、７段階の出力設定を有して入力手段９から入力する信号に基づき前記７段階の出力設定のうち任意のものを選択し誘導加熱部３の出力を制御するＩＨ加熱モードや、６段階の出力設定を有して入力手段９から入力する信号に基づき前記６段階の出力設定のうち任意のものを選択しロースタ加熱部７のリレー７２をオンオフ制御するロースタモードといった複数の動作モードを有している。
【００１２】
そして、高温表示手段８１、第１の感温素子１０、高温表示駆動部１１、ファンモータ駆動部１３、第２の感温素子１４、およびファンモータ駆動検知部１５は、電源スイッチ２がオフのときも動作可能とするために第３の電源回路６３の出力であるＶＤ３を動作電源とし、電源スイッチ２がオフの場合でも、トッププレート５が高温状態にあるときはその旨を高温表示手段８１にて表示し機器を使用する者が不意にトッププレート５に触れて火傷するのを防いだり、直前までロースタ加熱部７が駆動していてロースタ庫内が高温状態にあるときはファンモータ１２を駆動してロースタ庫内からの輻射熱で機器内部の雰囲気温度が上昇するのを防ぎスイッチング素子３２等を耐熱保護している。
【００１３】
また、その他の構成手段は、電源スイッチ２がオフのときは機器が使用不可能であることを機器を使用する者に示すため、構成素子の特性に応じて第１の電源回路６１の出力であるＶＤ１または第２の電源回路６２の出力であるＶＤ２を動作電源として、電源スイッチ２がオフのときは動作しないようにしている。
【００１４】
【発明が解決しようとする課題】
しかしながら上記の従来構成では、電源スイッチ２がオンのときのみ電源として動作可能な第１の電源回路６１および第２の電源回路６２と、電源スイッチ２の状態に拘わらず電源として動作可能な第３の電源回路６３のように、電源手段を２系統必要とし機器構成の複雑化、部品点数の増大およびコスト高を招いている。また、前記課題を解決するため、前記の構成手段の全ての動作電源を第３の電源手段６３のような電源スイッチ２の状態に拘わらず電源となり得るものから入力するだけでは、電源スイッチ２がオフのときにも制御手段１６や表示部８等が動作してしまい、交流電源１と誘導加熱部３およびロースタ加熱部７との通電が遮断され加熱不可能であるにも拘わらず機器として動作し使い勝手が悪い。さらに、制御手段１６の動作モードがＩＨ加熱モードまたはロースタモードにあるときに電源スイッチ２をオフからオンに変更すると、オンに変更直後から誘導加熱部３またはロースタ加熱部７が駆動してしまい大変危険である。また、前記の構成手段の全ての動作電源を第１の電源回路６１または第２の電源回路６２のような電源スイッチ２がオンのときのみ電源となり得るものから入力してしまうと、電源スイッチ２がオフのときに高温表示手段８１やファンモータ１２を駆動することができず、機器を使用する者がトッププレート５に触れて火傷したり、機器内部の温度が過度に上昇してスイッチング素子３２等を耐熱破壊してしまう恐れがあるという課題があった。
【００１５】
本発明は上記従来の課題を解決するもので、電源スイッチ２の状態に関わりなく所定の電圧を出力する電源回路のみを動作源とする構成にして電源スイッチ２がオフのときも表示部８またはファンモータ１２を駆動できるとともに、電源スイッチ２をオフにすると制御手段１６は誘導加熱部３やロースタ加熱部７等の駆動を停止するとともに入力手段９の受け付けを禁止し、電源スイッチ２をオフからオンに変更すると制御手段１６は待機モードに移行して入力手段９の受け付けを可能にすることを目的とする。
【００１６】
【課題を解決するための手段】
上記課題を解決するために本発明は、電源スイッチと、前記電源スイッチを介して電源と接続される加熱部と、前記電源スイッチの開閉状態に拘わらず電圧を出力する制御電源部と、前記加熱部の入力電圧を検知する入力電圧検知手段と、前記入力電圧検知手段から入力する信号に基づき前記電源スイッチの開閉状態を検知する電源スイッチ状態検知手段と、前記制御電源部の出力電圧を動作源とし、前記加熱部の出力を制御する制御手段を備え、前記制御手段は前記電源スイッチ状態検知手段から入力する信号に基づき前記電源スイッチが開状態であると検知すると、少なくとも前記加熱部の駆動を停止し加熱命令を受け付けないオフモードを設定し、かつ前記電源スイッチ状態検知手段から入力する信号に基づき前記電源スイッチが開状態から閉状態になるのを検知すると、少なくとも前記加熱部の駆動を停止して加熱命令を待つ待機モードを設定し、かつ、前記電源スイッチが閉状態のときの加熱部の最新の出力等の動作状態を記憶保持し、前記電源スイッチが閉状態から開状態へ変化するのを検知した後、所定時間以内に前記電源スイッチが閉状態へ変化するのを検知すると、記憶していた動作状態に基づき前記加熱部の出力等を制御するものである。
【００１７】
【発明の実施の形態】
請求項１に記載の発明は、電源スイッチの開閉状態に拘わらず電圧を出力する制御電源部と、加熱部の入力電圧を検知する入力電圧検知手段と、前記入力電圧検知手段から入力する信号に基づき前記電源スイッチの開閉状態を検知する電源スイッチ状態検知手段を備え、制御手段は前記制御電源部の出力電圧を動作源とし、かつ前記電源スイッチ状態検知手段から入力する信号に基づき前記電源スイッチが開状態であると検知すると、少なくとも前記加熱部の駆動を停止し加熱命令を受け付けないオフモードを設定し、かつ前記電源スイッチ状態検知手段から入力する信号に基づき前記電源スイッチが開状態から閉状態になるのを検知すると、少なくとも前記加熱部の駆動を停止して加熱命令を待つ待機モードを設定し、かつ、前記電源スイッチが閉状態のときの加熱部の最新の出力等の動作状態を記憶保持し、前記電源スイッチが閉状態から開状態へ変化するのを検知した後、所定時間以内に前記電源スイッチが閉状態へ変化するのを検知すると、記憶していた動作状態に基づき前記加熱部の出力等を制御するものであり、電源スイッチの開閉状態に拘わらず電圧を出力する制御電源部を有しているので、電源スイッチが開状態のときも制御手段に電源を供給し動作させることが可能であり、制御手段は表示部やファンモータ等を駆動することができる。また、電源スイッチ状態検知手段が入力電圧検知手段から入力する信号に基づき電源スイッチの開閉状態を検知して信号出力しかつ前記信号を制御手段が入力するので、制御手段は電源スイッチの開閉状態を検知することができる。そして、制御手段は電源スイッチが開状態のときはオフモードを設定して加熱部の駆動を停止し、電源スイッチが開状態から閉状態になると待機モードを設定して加熱部の駆動を停止しつつ加熱命令を待つので、機器を使用する者が電源スイッチの操作のみで制御手段の動作モードをクリアすることができ、逆に電源スイッチを誤ってオフからオンにした場合においては加熱部が駆動されず機器の安全性を高めることができる。そして、所定時間以内の電源スイッチの開閉操作で機器の動作状態が変化するのを防ぎ、電源スイッチの開閉操作時の誤動作または電源スイッチに短時間触れて誤動作するのを防ぐことができる。
【００１８】
請求項２に記載の発明は、少なくとも加熱部の加熱状態を表示する表示部を備え、制御手段は、オフモードを設定したときに前記表示部の少なくとも一部を駆動停止するものであり、電源スイッチが開状態のときに制御手段は機器を使用する者に注意を促すための表示等の所定の表示を点灯可能としつつ、加熱部の出力に関する表示を消灯して加熱部が加熱不可能な状態にあることを明示するとともに、表示部の駆動に必要な電流を削減して機器を使用しないときの消費電力を抑えることができる。
【００１９】
請求項３に記載の発明は、前記表示部は前記電源スイッチの開閉状態を示す表示を行う電源スイッチ状態表示手段を備え、前記制御手段は前記電源スイッチ状態検知手段から入力する信号に基づき前記電源スイッチ状態表示手段を制御するものであり、例えば制御手段は電源スイッチが閉状態のときは電源スイッチ状態表示手段を点灯し、電源スイッチが開状態のときは電源スイッチ状態表示手段を消灯するように制御して、機器を使用する者が電源スイッチの開閉状態を遅延なく電源スイッチ状態表示手段にて一目で認識できる。
【００２０】
【実施例】
（実施例１）
以下本発明の第１の実施例について、図１を参照しながら説明する。図１は本発明の第１の実施例における加熱調理器を示す図である。なお、本実施例において、図９に示す従来例と同じ機能を有するものは同一の符号を付し説明を省略する。本実施例の特徴的構成は、以下の通りである。まず、制御電源部６を電源スイッチ２を介さず交流電源１から直接入力して２０Ｖの直流電圧（以下ＶＤ１と称す）を出力する第１の電源回路６１、第一の電源回路６１から入力し５Ｖの直流電圧（以下ＶＤ２と称す）を出力する第２の電源回路６２だけで構成する。また、インバータ回路３３への入力電圧を検知し検知電圧に応じたアナログ信号を出力する入力電圧検知手段１７と、交流電源１の零電圧を検知しパルス信号を出力する零電圧検知手段１８、および入力電圧検知手段１７からの入力信号と零電圧検知手段１８からの入力信号に基づき電源スイッチ２の開閉状態を検知する電源スイッチ状態検知手段１９を新たに設ける。さらに、制御手段１６に、従来例に示す待機モード、ＩＨ加熱モード、ロースタモードに加えて、誘導加熱部３、ロースタ加熱部７、誘導加熱部表示手段８３、およびロースタ加熱部表示手段８４を全て駆動停止するオフモードを新たに設けて、制御手段１６は電源スイッチ状態検知手段から入力する信号に基づき電源スイッチ２がオフであると検知するとオフモードを設定し、電源スイッチ２がオフからオンになるのを検知すると、まず待機モードを設定しその後に入力手段９から入力する信号に基づきＩＨ加熱モードまたはロースタモードを設定する構成とする。さらに、ＡＤ変換器等で構成され、第１の感温素子１０または第２の感温素子１４で検知する温度をそれぞれ所定桁数（８ビット）のデジタル信号に変換する第１の温度検知手段２０および第２の温度検知手段２１を新たに設けて、制御手段１６が第１の温度検知手段２０から入力する信号に基づき高温表示駆動部１１を制御し、第２の温度検知手段２１から入力する信号に基づきファンモータ駆動部１３を制御する構成として、ファンモータ駆動検知部１５を廃止しかつ高温表示駆動部１１の構成を簡略化したことである。
【００２１】
また、図２は入力電圧検知手段１７および零電圧検知手段１８の回路構成を示す図である。まず、整流器３０により全波整流された電圧の陰極側を基準電圧点（以下ＧＮＤと称す）とし、各構成手段はこのＧＮＤを基準に制御を行う。そして、図２に示すように、入力電圧検知手段１７は、インバータ回路３３への入力電圧Ｖ１をダイオードＤ１７２を介して直列接続する抵抗Ｒ１７１およびＲ１７２で分圧し、抵抗Ｒ１７３を介してコンデンサＣ１７１へ入力させる。また、零電圧検知手段１８は、交流電源１の電圧ＡＣ１−ＡＣ２の極性により抵抗Ｒ１８１またはＲ１８２とダイオードＤ１８１を介して抵抗Ｒ１８３およびＲ１８４が直列接続し、コンパレータＩＣ１８１が交流電源１からの入力電圧を（（Ｒ１８１またはＲ１８２）＋Ｒ１８３）およびＲ１８４で分圧した電圧と、Ｒ１８５およびＲ１８６で規定される一定電圧を大小比較し、「オープン」信号または「Ｌ」信号を出力する。
【００２２】
以上のように構成された加熱調理器について、図３および図４を用いてその動作を説明する。図３は入力電圧検知手段１７および零電圧検知手段１８の出力を示す図である。まず、入力電圧検知手段１７の出力について説明する。電源スイッチ２がオンのときは、インバータ回路３３への入力電圧Ｖ１は、図３（ａ）に示す交流電源１からの入力電圧を整流器３０により全波整流して、図３（ｂ）に示すような波形となる。入力電圧検知手段１７は、この電圧Ｖ１をＲ１７１、Ｄ１７２、およびＲ１７２の直列回路により分圧し、Ｃ１７１へ充電するとともに電源スイッチ状態検知手段１９へ出力する。図２に示すように、Ｄ１７２のアノード側電圧をＶ１１、Ｃ１７１の電圧をＶ１２とすると、インバータ回路３３への入力電圧Ｖ１がピーク値（図３（ｂ）のＰ点）近傍では、Ｖ１１＞Ｖ１２になりＲ１７３を介してＣ１７１へ充電されるが、それ以外ではＶ１１＜Ｖ１２となりＤ１７２の作用によりＶ１２はＣ１７１、Ｒ１７３、Ｒ１７２による放電波形となる。すなわち、Ｒ１７３を小さく、Ｒ１７２を大きく定数設定すると、図３（ｃ）に示すようにインバータ回路３３への入力電圧Ｖ１のピーク値に比例したほぼ直流の電圧を出力することができる。しかし、電源スイッチ２がオフのときは、インバータ回路３３への入力電圧Ｖ１は０Ｖとなり、入力電圧検知手段１７の出力電圧であるＶ１２もＣ１７１、Ｒ１７３、Ｒ１７２により放電されてやがて０Ｖとなる。なお、Ｄ１７１は保護用ダイオードであり、電源スイッチ状態検知手段１９に入力される電圧Ｖ１２の最大値をＶＤ２程度に抑えている。
【００２３】
つぎに、零電圧検知手段１８の出力について説明する。図２に示すように、電源スイッチ２がオンのときは、交流電源１の低電位側の出力がＧＮＤとなる。Ｒ１８１、Ｒ１８２＞＞（Ｒ１８３＋Ｒ１８４）になるように設定すると、交流電源１の電圧が図３（ａ）の極性１のときは、およそＲ１８２、Ｄ１８１、Ｒ１８３、およびＲ１８４の直列回路により交流電源１からの入力電圧を分圧した電圧がコンパレータＩＣ１８１の負入力に入力される。図３（ａ）の極性２のときは、今度はおよそＲ１８１、Ｄ１８１、Ｒ１８３、およびＲ１８４の直列回路により交流電源１からの入力電圧を分圧した電圧がＩＣ１８１の負入力に入力される。すなわち、Ｒ１８１＝Ｒ１８２になるように定数設定すると、交流電源１からの入力電圧を全波整流し抵抗分圧した電圧がＩＣ１８１の負入力に入力される。そして、ＩＣ１８１は、この負入力と正入力であるＲ１８５およびＲ１８６による一定電圧値とを比較して「オープン」信号または「Ｌ」信号を出力し、図３（ｄ）に示すようなパルス波形を形成して、制御手段１６および電源スイッチ状態検知手段１９へ出力する。（以下この出力をＶ２１と称す）
しかし、電源スイッチ２がオフになると、極性１の場合は、電源スイッチ２がオンのときと同様に、Ｒ１８２、Ｄ１８１、Ｒ１８３、およびＲ１８４の直列回路により分圧された電圧がＩＣ１８１の負入力に入力されるが、極性２の場合は、ＧＮＤが交流電源１の出力と遮断され、Ｄ１８１の作用によりＩＣ１８１の負入力は０Ｖとなる。従って、零電圧検知手段１８の出力は、図３（ｅ）に示すように、図３（ｄ）に対して極性２の部分を「Ｈ」出力にした波形となる。なお、Ｃ１８１は対雑音用コンデンサであり、Ｒ１８７はＩＣ１８１の入力電流を制限し、Ｒ１８６はＩＣ１８１が「オープン」信号を出力するときにＶ２１が「Ｈ」出力になるよう設けられている。
【００２４】
つぎに、電源スイッチ状態検知手段１９の動作について図４を用いて説明する。図４は電源スイッチ状態検知手段１９の動作を示すフローチャートである。図４に示すように、電源スイッチ状態検知手段１９はステップ１にて零電圧検知手段１８からの入力Ｖ２１が「Ｌ」から「Ｈ」へ立ち上がるのをモニタし、前記立ち上がりを検知すると、ステップ２にて５ｍｓ（但し交流電源１が５０Ｈｚのとき）待機して交流電源１のピーク値近傍になるまで待機する。そして、ステップ３およびステップ４にて零電圧検知手段１８からの入力Ｖ２１および入力電圧検知手段１７からの入力Ｖ１２を順次モニタする。なお、ステップ２にて５ｍｓだけ待機しているのは、入力電圧検知手段１７からの入力Ｖ１２が図３（ｃ）に示すようなリップルを含むアナログ信号であり、電源スイッチ状態検知手段１９が前記アナログ信号のピーク値を読み取るためである。
【００２５】
さて、交流電源１が定格電圧のときに入力電圧検知手段１７の出力Ｖ１２＝５．０Ｖ（＝ＶＤ２）となるようにＲ１７１およびＲ１７２の定数を設定すると、電源スイッチ２がオンの場合は、図３（ｃ）および（ｄ）に示すようにＶ１２＝５．０Ｖ（≧２．５Ｖ）かつＶ２１＝「Ｌ」であることより、ステップ５へ分岐して電源スイッチ２がオンであることを示す電源スイッチオン信号を出力する。しかし、電源スイッチ２がオフの場合は、Ｖ１２＝０Ｖ（＜２．５Ｖ）となり、また図３（ｅ）に示すようにＶ２１＝「Ｈ」であるので、ステップ６へ分岐して電源スイッチ２がオフであることを示す電源スイッチオフ信号を出力する。
【００２６】
ここで、入力電圧検知手段１７または零電圧検知手段１８のどちらか一方すなわちステップ３またはステップ４のどちらか一方でのみ電源スイッチ２のオンオフ検知を行うことも可能であるが、前記２つの構成手段の入力信号を共に判定基準とすることにより、雑音等の影響でどちらか一方の構成手段が誤動作した場合でももう一方の構成手段にて電源スイッチ２のオンオフ検知を行うことができるので、より正確にかつ安定した電源スイッチ２のオンオフ検知を実現できる。
【００２７】
また、ステップ３およびステップ４に示すように、入力電圧検知手段１７および零電圧検知手段１８が共に電源スイッチ２のオンを示す信号のときに電源スイッチ状態検知手段１９は電源スイッチ２がオンであると検知し、入力電圧検知手段１７または零電圧検知手段１８の何れか一方が電源スイッチ２のオフを示す信号のときに電源スイッチ状態検知手段１９は電源スイッチ２がオフであると検知することにより、電源スイッチ２のオフ検知をオン検知よりも優先させて雑音等の影響に対し制御手段１６は電源スイッチ２がオフであるときのオフモードを設定し機器の安全性を高めることができる。
【００２８】
また、電源スイッチ２をオンからオフに変更すると、入力電圧検知手段１７の出力Ｖ１２はＣ１７１、Ｒ１７３、Ｒ１７２による放電にて緩やかに下降し、インバータ回路３３の入力端子間にコンデンサが設けられている場合はその下降度合いが更に緩やかになって、電源スイッチ２をオフにしてからＶ１２＜２．５Ｖになるまでかなりの時間を要するのに対し、零電圧検知手段１８の出力Ｖ２１は瞬時にして図３（ｄ）に示す波形から図３（ｅ）に示す波形に切り替えることができる。すなわち、電源スイッチ状態検知手段１９は入力電圧検知手段１７から入力する信号よりも零電圧検知手段１８から入力する信号の方にて、より迅速にかつ正確に電源スイッチ２の状態変化を検知することができる。
【００２９】
そして、電源スイッチ状態検知手段１９から前記電源スイッチオン信号を入力すると、制御手段１６は入力手段９より入力する信号に基づきＩＨ加熱モードまたはロースタモードを選択して誘導加熱部３またはロースタ加熱部７の出力を制御するとともに、誘導加熱部表示手段８３またはロースタ加熱部表示手段８４を制御して誘導加熱部３またはロースタ加熱部７の出力状態を表示することができる。また、制御手段１６は、入力手段９より入力する信号に基づき誘導加熱部３またはロースタ加熱部７の出力を変更することも可能である。さらに、制御手段１６は、誘導加熱部３またはロースタ加熱部７が駆動するときは、ファンモータ駆動部１３へ「Ｈ」信号を出力しトランジスタＱ１３１をオンしてフォトトライアックＩＣ１３１を動作させファンモータ１２を駆動する。さらに、制御手段１６は、第１の温度検知手段２０からの入力信号に基づきトッププレート５が高温状態であることを検知すると高温表示駆動部１１へ「Ｈ」信号を出力しトランジスタＱ１１２をオンして高温表示手段８１であるＬＥＤ８１を点灯させる。
【００３０】
しかし、電源スイッチ状態検知手段１９から前記電源スイッチオフ信号を入力すると、制御手段１６はオフモードを設定して、誘導加熱部３およびロースタ加熱部７を直ちに駆動停止するとともに、誘導加熱部表示手段８３およびロースタ加熱部表示手段８４を消灯する。また、制御手段１６は、入力手段９からの入力受け付けを禁止しオフモードを維持して、入力手段９を操作しても誘導加熱部３またはロースタ加熱部７を駆動できなくする。
【００３１】
そして、制御手段１６は、オフモードのときに電源スイッチ状態検知手段１９から前記電源スイッチオン信号を入力すると、電源スイッチ２がオフからオンに変化したと検知してオフモードから待機モードに移行する。その後に入力手段９より入力する信号に基づきＩＨ加熱モードまたはロースタモードへ移行することができる。
【００３２】
以上のような構成により、電源スイッチ２の状態に関わりなく直流電圧を発生させる制御電源部６の出力ＶＤ１およびＶＤ２を制御手段１６の動作電源とする構成においても、制御手段１６は電源スイッチ２のオフを検知してオフモードを設定し、誘導加熱部３およびロースタ加熱部７の駆動を停止することができる。また、電源スイッチ２がオフのときは、制御手段１６は入力手段９からの入力受け付けを禁止して安全性を高めるとともに、電源スイッチ２がオフであるために機器が使用不可能な状態であることを機器を使用する者に明示することができる。さらに、制御手段１６は電源スイッチ２のオフを検知して誘導加熱部表示手段８３およびロースタ加熱部表示手段８４を消灯させることにより、誘導加熱部３およびロースタ加熱部７が加熱不可能である旨の表示を行うことができる。
【００３３】
さらに、制御手段１６は電源スイッチ２がオフからオンになるのを検知すると待機モードを設定することにより、電源スイッチ２をオンにした途端に誘導加熱部３またはロースタ加熱部７が加熱開始するのを防いで安全を確保することができる。さらに、電源スイッチ２オンにて制御手段１６がＩＨ加熱モードまたはロースタ加熱モードを設定しているときに、電源スイッチ２をオフにしその後オンにするといった操作により、制御手段１６の設定するモードを待機モードに戻して機器の動作状態を初期化することができる。
【００３４】
また、電源スイッチ２の状態に関わりなく直流電圧を発生させる制御電源部６の出力ＶＤ１およびＶＤ２を制御手段１６の動作電源とする構成なので、電源スイッチ２がオフのときでも制御手段１６は動作可能であり、従来例に対してファンモータ駆動検知部１５を廃止しかつ高温表示駆動部１１の構成を簡略化して部品点数およびコストを削減しつつ、電源スイッチ２がオフのときでも第１の温度検知手段２０からの入力信号に基づきトッププレート５が高温であることを検知して高温表示駆動部１１を制御し高温表示手段８１を点灯したり、第２の温度検知手段２１からの入力信号に基づきロースタ庫内が高温であることを検知してファンモータ駆動部１３を制御しファンモータ１２を駆動することができる。
【００３５】
さらに、制御手段１６は電源スイッチ２のオフを検知してオフモードを設定しているときにトッププレート５が高温であることを検知すると、高温表示手段８１を点滅にて表示するよう高温表示駆動部１１を制御することにより、電源スイッチ２がオフのときの高温表示を更に強調することができる。
【００３６】
さらに、制御手段１６は零電圧検知手段１８より入力するパルス信号に関連づけて誘導加熱部３やロースタ加熱部７等を制御することも可能であり、電源スイッチ２がオンのときは図３（ｄ）に示すように零電圧検知手段１８は交流電源１の零電圧点に同期してパルス信号を出力するので、制御手段１６は誘導加熱部３の出力を交流電源１の半周期毎に調節して応答速度を高めたり、リレー７２の接点を交流電源１の零電圧点にて開閉するようリレー駆動回路７３を制御してリレー７２の接点寿命を向上したり、ファンモータ駆動部１３を位相制御してファンモータ１２の回転数制御を行ったり、トライアックを備えた場合にはパルス駆動して消費電流を抑えたりすることができる。また、電源スイッチ２がオフのときも図３（ｅ）に示すように交流電源１の極性に対応し零電圧点に同期して「Ｈ」または「Ｌ」に変化するパルス信号を出力するので、制御手段１６は高温表示手段８１を所定周期で点滅表示する等の制御を行うことができる。
【００３７】
（実施例２）
以下本発明の第２の実施例について、図１を参照しながら説明する。図１は本発明の第２の実施例における加熱調理器を示す図である。本実施例の特徴的構成は、制御手段１６が零電圧検知手段１８から入力するパルス信号のカウント方法を２通り保持し、第２の感温素子１４が高温のときのファンモータを駆動する最大時間（１０分）を計測するときに、電源スイッチ状態検知手段１９から入力する信号に基づき前記２通りのカウント方法の中から１つを選択して時間計測を行う構成としたことである。
【００３８】
以上のように構成された加熱調理器について、図３および図５を用いてその動作を説明する。図５は制御手段１６の時間計測方法を示すフローチャートである。図５に示すように、まず、ステップ１１で零電圧検知手段１８からの入力Ｖ２１が「Ｌ」から「Ｈ」へ立ち上がるのを検知する。そして前記立ち上がりを検知すると、ステップ１２で電源スイッチ状態検知手段１９から入力する信号に基づき電源スイッチ２のオンオフ状態を識別する。そして、電源スイッチ２がオンであると検知するとステップ１３でカウンタＡを＋１し、電源スイッチ２がオフであると検知するとステップ１４でカウンタＡを＋２する。これにより、交流電源１の１周期＝２０ｍｓ（５０Ｈｚ）の間に、電源スイッチ２がオンのときは図３（ｄ）に示すように＋１と＋１の２回実行されて合計＋２され、電源スイッチ２がオフのときは図３（ｅ）に示すように＋２が１回だけ実行される。すなわち、電源スイッチ２のオンオフ状態に拘わらず、交流電源１の１周期の間にカウンタＡを＋２することができる。また、ステップ１５およびステップ１６で誘導加熱部３またはロースタ加熱部７が出力オンのときはカウンタＡ＝０に初期化することにより、時間計測を誘導加熱部３およびロースタ加熱部７の両方が出力オフしてから開始することができる。
【００３９】
そして、誘導加熱部３およびロースタ加熱部７の両方が出力オフのときに、ステップ１８にて第２の温度検知手段２１から入力する信号に基づき第２の感温素子１４≧９０℃を検知し、かつステップ１９でカウンタＡ＜１０分と判定すると、ステップ１ａでファンモータ１２をオンするようにファンモータ駆動部１３を制御する。
【００４０】
以上のような構成により、電源スイッチ２の状態に関わりなく直流電圧を発生させる制御電源部６の出力ＶＤ１またはＶＤ２を制御手段１６の動作電源とする構成においても、電源スイッチ２の状態に関係なく一定時間の計測が可能となり、誘導加熱部３およびロースタ加熱部７による加熱を停止した後に、第２の感温素子１４＜９０℃になるまでのファンモータ１２駆動時間を電源スイッチ２のオンオフ状態に拘わらず最大１０分間に設定することができる。
【００４１】
なお、本実施例２では、加熱停止時におけるファンモータ１２の最大駆動時間についてのみ記載しているが、所定時間経過すると自動的に誘導加熱部３またはロースタ加熱部７を加熱停止するタイマー機能等の用途においての時間計測にも同様の効果を得ることができる。
【００４２】
（実施例３）
以下本発明の第３の実施例について、図１を参照しながら説明する。図１は本発明の第３の実施例における加熱調理器を示す図である。本実施例の特徴的構成は、制御手段１６はトッププレート５が高温であると検知したときに、ＩＨ加熱モードまたはロースタ加熱モードを設定しているときは高温表示手段８１を点灯し、待機モードまたはオフモードを設定しているときは高温表示手段８１を点滅する。そして、制御手段１６は零電圧検知手段１８から入力するパルス信号のカウント方法を２通り保持し、高温表示手段８１を点滅表示するときに、電源スイッチ状態検知手段１９から入力する信号に基づき前記２通りのカウント方法の中から１つを選択して点滅周期の計測を行う構成としたことである。
【００４３】
以上のように構成された加熱調理器について、図３および図６を用いてその動作を説明する。図６は制御手段１６のＬＥＤ点滅周期計測方法を示すフローチャートである。図６に示すように、まず、ステップ２１で零電圧検知手段１８からの入力Ｖ２１が「Ｌ」から「Ｈ」へ立ち上がるのを検知する。そして前記立ち上がりを検知すると、ステップ２２で電源スイッチ状態検知手段１９からの入力信号に基づき電源スイッチ２のオンオフ状態を識別し、電源スイッチ２がオンであると検知するとステップ２３でカウンタＢを＋１し、電源スイッチ２がオフであると検知するとステップ２４でカウンタＢを＋２する。これにより、交流電源１の１周期＝２０ｍｓ（５０Ｈｚ）の間に、電源スイッチ２がオンのときは図３（ｄ）に示すように＋１と＋１の２回実行されて合計＋２され、電源スイッチ２がオフのときは図３（ｅ）に示すように＋２が１回だけ実行される。すなわち、電源スイッチ２のオンオフ状態に拘わらず、交流電源１の１周期の間にカウンタＢを＋２することができる。また、ステップ２５およびステップ２６でカウンタＢ≧２ｓになるとカウンタＢ＝０に初期化することにより、カウンタＢを２ｓ周期でオーバーフローする構成とすることができる。
【００４４】
そして、ステップ２７にて第１の温度検知手段２０から入力する信号に基づき第１の感温素子１０≧６５℃を検知し、誘導加熱部３およびロースタ加熱部７の両方が出力オフのときは、ステップ２ａでカウンタＢを参照し、１ｓ毎に高温表示手段８１であるＬＥＤ８１をステップ２ｂにて点灯またはステップ２ｃにて消灯する。
【００４５】
以上のような構成により、電源スイッチ２の状態に関わりなく直流電圧を発生させる制御電源部６の出力ＶＤ１またはＶＤ２を制御手段１６および高温表示手段８１の動作電源とする構成においても、電源スイッチ２の状態に関係なく一定周期にて高温表示手段８１を点滅表示させることができる。
【００４６】
（実施例４）
以下本発明の第４の実施例について、図１を参照しながら説明する。図１は本発明の第４の実施例における加熱調理器を示す図である。本実施例の特徴的構成は、表示部８が電源スイッチ２の状態を表示する電源スイッチ状態表示手段８２を備え、制御手段１６が電源スイッチ状態検知手段１９からの入力信号に基づき電源スイッチ状態表示手段８２を制御することである。
【００４７】
以上のように構成された加熱調理器について、図７を用いてその動作を説明する。図７は制御手段１６による電源スイッチ状態表示手段８２の制御に関するフローチャートである。図７に示すように、制御手段１６はステップ３１で電源スイッチ状態検知手段１９より入力する信号をステップ３２で判定し、入力信号＝電源スイッチオン信号ならばステップ３３へ分岐して電源スイッチ状態表示手段８２であるＬＥＤ８２を点灯し、入力信号＝電源スイッチオフ信号ならばステップ３４へ分岐してＬＥＤ８２を消灯させる。
【００４８】
以上のような構成により、電源スイッチ２の状態に関わりなく直流電圧を発生させる制御電源部６の出力ＶＤ１またはＶＤ２を制御手段１６および電源スイッチ状態表示手段８２の動作電源とする構成においても、電源スイッチ２がオンのときは電源スイッチ状態表示手段８２を点灯し、電源スイッチ２がオフのときは電源スイッチ状態表示手段８２を消灯して、電源スイッチ状態表示手段８２により電源スイッチ２のオンオフ状態を表示することができる。
【００４９】
（実施例５）
以下本発明の第５の実施例について、図１を参照しながら説明する。図１は本発明の第５の実施例における加熱調理器を示す図である。本実施例の特徴的構成は、制御手段１６は約２２ｍｓ以上の間、零電圧検知手段１８からの入力Ｖ２１の「Ｌ」から「Ｈ」への立ち上がりを検知しない場合に交流電源１が停電であると判断し、誘導加熱部３およびロースタ加熱部７の出力をオフし、ファンモータ１２をオフするようにファンモータ駆動部１３を制御し、表示部８内の全ての構成手段を消灯するように制御することである。
【００５０】
以上のように構成された加熱調理器について、図２および図３を用いてその動作を説明する。まず、前提として、制御電源部６にはコンデンサＣ６１およびＣ６２が設けられており、交流電源１が瞬時だけ停電したときは、Ｃ６１およびＣ６２に蓄電された電力にて制御手段１６等の回路動作を行う構成となっている。交流電源１が正常である場合は、図３（ｄ）および（ｅ）に示すように、制御手段１６は２０ｍｓに少なくとも１回は零電圧検知手段１８からの入力Ｖ２１の「Ｌ」から「Ｈ」への立ち上がりを検知する。しかし、交流電源１が停電すると、図２に示す交流電源１の電圧を分圧したコンパレータＩＣ１８１の負入力は０Ｖとなり、零電圧検知手段１８の出力は「Ｈ」にて固定されるので、制御手段１６は「Ｌ」から「Ｈ」への立ち上がりを検知できない。
【００５１】
そこで、交流電源１の１周期（＝２０ｍｓ但し５０Ｈｚ）に対しばらつき等を考慮した停電検知時間（＝２２ｍｓ）を設定し、制御手段１６は前記停電検知時間以上の間、零電圧検知手段１８からの入力Ｖ２１の「Ｌ」から「Ｈ」への立ち上がりを検知しなければ交流電源１が停電していると判断する。そして、制御手段１６は交流電源１の停電を検知すると、誘導加熱部３、ロースタ加熱部７、ファンモータ１２、表示部８に関わる全ての負荷回路をオフし、Ｃ６１およびＣ６２に蓄電された電力の消費を最小限に抑える。
【００５２】
以上のような構成により、電源スイッチ２の状態に関わりなく直流電圧を発生させる制御電源部６の出力ＶＤ１またはＶＤ２を制御手段１６の動作電源とする構成においても、迅速に交流電源１の停電を検知して全負荷をオフし、誘導加熱部３およびロースタ加熱部７の駆動を停止して機器の安全性を確保するとともに、停電時の電力消費を抑えてより長時間の停電に対し制御手段１６の動作確保を図ることができる。また、零電圧検知手段１８にて電源スイッチ２の開閉状態および交流電源１の停電状態を識別することができるので、交流電源１の停電を検知するために新たに構成手段を設ける必要はなく回路構成を簡略化することができる。
【００５３】
（実施例６）
以下本発明の第６の実施例について、図１を参照しながら説明する。図１は本発明の第６の実施例における加熱調理器を示す図である。本実施例の特徴的構成は、制御手段１６が、電源スイッチ状態検知手段１９から入力する信号に基づき電源スイッチ２のオフを検知しても所定時間（１．０ｓ）の間は、電源スイッチ２のオフを検知する前のモードを設定モードとして保持し、前記所定時間後は前記設定モードを待機モードに初期化する構成としたことである。
【００５４】
以上のように構成された加熱調理器について、図８を用いてその動作を説明する。図８は制御手段１６の設定保持動作に関するフローチャートである。図８に示すように、制御手段１６は、まずステップ４１にて設定モードを待機モードに初期化し、その後に以下の動作を開始する。ステップ４２にて入力手段９から入力する信号に基づき設定モードを待機モードから誘導加熱部３を所定出力にて駆動するＩＨモードまたはロースタ加熱部７を所定出力にて駆動するロースタモードに変更する。そして、ステップ４３で制御手段１６は前記設定モードに基づき誘導加熱部３の出力を制御し、またはロースタ加熱部７のヒータ７１への通電をオンオフするようにリレー駆動回路７３を制御する。また、ステップ４４で所定時間１．０ｓ計測のためのタイマ１を０にクリアしておく。
【００５５】
そして、ステップ４５にて電源スイッチ状態検知手段１９から入力する信号に基づき電源スイッチ２のオンを検知すると、ステップ４２へ戻ってステップ４２〜ステップ４４の動作を繰り返し行う。しかし、ステップ４５にて電源スイッチ２のオフを検知すると、ステップ４６へ分岐して制御手段１６はオフモードを設定し誘導加熱部３およびロースタ加熱部７等の駆動を停止するとともに、ステップ４７にてタイマ１を動作開始する。そして、ステップ４８で１．０ｓ経過を検知すると、前記設定モードを待機モードに初期化する。この動作（ステップ４５〜ステップ４９）は、ステップ４５で電源スイッチのオンを検知するまで繰り返し行われる。
【００５６】
つまり、電源スイッチ２のオフを検知してから１．０ｓ以内に電源スイッチ２のオンを検知すると、ステップ４９を行うことなくステップ４２へ戻るので、前記設定モードは電源スイッチのオフを検知する前すなわちステップ４５〜ステップ４８の処理を行う前の状態にて保持されている。
【００５７】
以上のような構成により、電源スイッチ２の状態に関わりなく直流電圧を発生させる制御電源部６の出力ＶＤ１またはＶＤ２を制御手段１６の動作電源とする構成において、電源スイッチ２がオンからオフへ変化しても、所定時間（１．０ｓ）以内に再度オンへ戻すと制御手段１６は電源スイッチ２がオフする前のモードにて誘導加熱部３およびロースタ加熱部７の駆動を再開し、前記所定時間（１．０ｓ）後に電源スイッチ２をオンにすると制御手段１６は待機モードを設定して誘導加熱部３およびロースタ加熱部７を駆動停止から動作開始することができる。
【００５８】
なお、本実施例１〜６において、交流電源１の周波数を５０Ｈｚとしているが６０Ｈｚについても、図４ステップ２の待機時間５ｍｓを４．１５ｍｓに変更し、図５および図６にて１ｓ＝１００カウントを１ｓ＝１２０カウントに変更することにより、同様の効果を得ることができる。また、制御手段１６は零電圧検知手段１８より入力する信号に基づき交流電源１の周波数が５０Ｈｚ／６０Ｈｚのどちらであるかを判別し、判別した周波数に応じて前記の図４ステップ２の待機時間（５ｍｓ／４．１５ｍｓ）および、図５と図６の１ｓカウント数（１００カウント／１２０カウント）を選択する構成とすることも可能である。
【００５９】
さらに、本実施例では零電圧検知手段１８が出力するパルス信号を形成するための回路構成として必要な整流器を誘導加熱部３の整流器３０と共有して機器構成の簡略化を図っているが、誘導加熱部３を備えない場合においても整流器３０のみ本実施例と同じ箇所に設けることにより同様の効果を得ることができる。
【００６０】
さらに、電源スイッチ２のオンオフ検知のために入力電圧検知手段１７を設けているが、交流電源１の電圧に基づく誘導加熱部３の出力補正の為に既に入力電圧検知手段１７と同様の構成手段を有する場合はそれで兼ねることができる。
【００６１】
さらに、制御手段１６、入力電圧検知手段１７、零電圧検知手段１８、電源スイッチ状態検知手段１９、第１の温度検知手段２０、および第２の温度検知手段２１の一部または全部の構成手段を、マイクロコンピュータにて実現できることは明らかである。
【００６２】
【発明の効果】
以上のように、請求項１記載の発明によれば、電源スイッチの開閉状態に拘わらず電圧を出力する制御電源部と、加熱部の入力電圧を検知する入力電圧検知手段と、前記入力電圧検知手段から入力する信号に基づき電源スイッチの開閉状態を検知する電源スイッチ状態検知手段を備え、制御手段は前記制御電源部の出力電圧を動作源とし、かつ前記電源スイッチ状態検知手段から入力する信号に基づき前記電源スイッチが開状態であると検知すると、少なくとも前記加熱部の駆動を停止し加熱命令を受け付けないオフモードを設定し、かつ前記電源スイッチ状態検知手段から入力する信号に基づき前記電源スイッチが開状態から閉状態になるのを検知すると、少なくとも前記加熱部の駆動を停止して加熱命令を待つ待機モードを設定する構成により、電源スイッチの状態に関わりなく所定の電圧を発生させる制御電源部の出力を制御手段の動作源とする構成にして制御電源部の構成を簡素化し、部品点数の縮小およびコスト安を実現しつつ、機器を使用する者が電源スイッチを操作して制御手段の動作モードをクリアすることができ、また電源スイッチを開状態から閉状態に変更直後に加熱部が駆動するのを防ぐ。また、電源スイッチが開状態のときでも制御手段は動作可能であり、例えば、感温素子を加熱部近傍に設けて、制御手段は前記感温素子の入力信号に基づき高温表示を行ったり冷却フィンを駆動することにより、機器の安全性を高めることができる。また、制御手段は電源スイッチが閉状態のときの最新の加熱部の出力等の動作状態を記憶保持し、電源スイッチが閉状態から開状態へ変化するのを検知後所定時間以内に電源スイッチが開状態から閉状態へ変化するのを検知すると、前記記憶保持している動作状態に基づき加熱部の出力等の制御を行う構成により、所定時間以内の電源スイッチ操作で機器の動作状態が変化するのを防き、不意の電源スイッチ操作に対する復帰機能を実現することができる。
【００６３】
また、請求項２記載の発明によれば、制御手段は電源スイッチ状態検知手段から入力する信号に基づき電源スイッチが開状態であることを検知すると表示部の一部または全部の要素を駆動停止する構成により、電源スイッチが開状態のときは高温表示等の表示を点灯可能としつつ、加熱部の出力に関する表示を消灯して表示部にて加熱部が加熱不可能である旨を表示することができ、表示部の表示内容を充実させることができる。
【００６４】
また、請求項３記載の発明によれば、表示部は電源スイッチの開閉状態を示す表示を行う電源スイッチ状態表示手段を備え、制御手段は電源スイッチ状態検知手段から入力する信号に基づき前記電源スイッチ状態表示手段を制御する構成により、機器を使用する者が電源スイッチ状態表示手段にて遅延なく一目で電源スイッチの開閉状態を認識することが可能となる。
【図面の簡単な説明】
【図１】本発明の第１の実施例の加熱調理器の回路構成図
【図２】同、加熱調理器の要部の回路構成図
【図３】同、加熱調理器の動作波形図
【図４】同、加熱調理器の電源スイッチ状態の検知動作を示すフローチャート
【図５】本発明の第２の実施例の加熱調理器の時間計測を示すフローチャート
【図６】本発明の第３の実施例の加熱調理器のＬＥＤ点滅等に関するフローチャート
【図７】本発明の第４の実施例の加熱調理器の電源スイッチ状態の表示等に関するフローチャート
【図８】本発明の第６の実施例の加熱調理器の設定保持動作に関するフローチャート
【図９】従来例の加熱調理器の回路構成図
【符号の説明】
１  交流電源
２  電源スイッチ
３  誘導加熱部
４  負荷鍋
５  トッププレート
６  制御電源部
７  ロースタ加熱部
８  表示部
９  入力手段
１０  第１の感温素子
１１  高温表示駆動部
１２  ファンモータ
１３  ファンモータ駆動部
１４  第２の感温素子
１６  制御手段
１７  入力電圧検知手段
１８  零電圧検知手段
１９  電源スイッチ状態検知手段
２０  第１の温度検知手段
２１  第２の温度検知手段
【図１】
0003598988.tif 000002
【図２】
0003598988.tif 000003
【図３】
0003598988.tif 000004
【図４】
0003598988.tif 000005
【図５】
0003598988.tif 000006
【図６】
0003598988.tif 000007
【図７】
0003598988.tif 000008
【図８】
0003598988.tif 000009
【図９】
0003598988.tif 000010